【手続補正書】
【提出日】平成24年2月27日(2012.2.27)
【手続補正１】
【補正対象書類名】特許請求の範囲
【補正対象項目名】全文
【補正方法】変更
【補正の内容】
【特許請求の範囲】
【請求項１】
複数の転送プロトコルのうちの１つを用いて、映像出力装置からコンテンツデータを取得し、表示する映像表示装置であって、
前記映像出力装置から、少なくとも符号化方式についての情報を含む、コンテンツデータの情報を取得する第１の取得手段と、
前記第１の取得手段が取得した前記コンテンツデータの情報に含まれる前記符号化方式についての情報に基づいて、前記映像表示装置が前記コンテンツデータを復号化可能であるか否かを判定する第１の判定手段と、
前記映像表示装置に表示するＧＵＩを生成するＧＵＩ生成手段と、
前記映像出力装置におけるＧＵＩ描画性能を前記映像出力装置から取得する第２の取得手段と、
前記第１の判定手段により、前記映像表示装置が前記コンテンツデータを復号化可能であると判定された場合に、前記第２の取得手段が取得した前記映像出力装置におけるＧＵＩ描画性能と、前記ＧＵＩ生成手段のＧＵＩ描画性能とを比較する比較手段と、
前記第１の判定手段により、前記映像表示装置が前記コンテンツデータを復号化可能でないと判定された場合には、前記映像出力装置で前記コンテンツデータを復号化してからストリーム転送する転送プロトコルを前記複数の転送プロトコルの中から決定し、前記比較手段により、前記映像出力装置におけるＧＵＩ描画性能の方が前記ＧＵＩ生成手段のＧＵＩ描画性能より高いと判定された場合には、前記映像出力装置で前記コンテンツデータを復号化してからストリーム転送する転送プロトコルを前記複数の転送プロトコルの中から決定する決定手段と、
前記決定手段が決定した転送プロトコルを指定して、前記コンテンツデータの転送を前記映像出力装置に要求する要求手段と、
前記要求に応じて前記映像出力装置から転送された前記コンテンツデータを前記映像表示装置で表示する表示制御手段であって、前記コンテンツデータが前記ストリーム転送する転送プロトコルで転送された場合には前記コンテンツデータを復号化せずに表示し、前記コンテンツデータがファイル転送する転送プロトコルで転送された場合には前記コンテンツデータを復号化して表示する表示制御手段とを有することを特徴とする映像表示装置。
【請求項２】
前記決定手段が、前記比較手段により、前記ＧＵＩ生成手段の描画性能の方が前記映像出力装置におけるＧＵＩ描画性能より高いと判定された場合には、前記映像出力装置で前記コンテンツデータを復号化せずにファイル転送する転送プロトコルを前記複数の転送プロトコルの中から決定することを特徴とする請求項１記載の映像表示装置。
【請求項３】
前記ＧＵＩ描画性能は、ＧＵＩプレーンのサイズ、ＧＵＩ階調数、ＧＵＩビット深度の少なくともいずれか１つであることを特徴とする請求項１または請求項２に記載の映像表示装置。
【請求項４】
複数の転送プロトコルのうちの１つを用いて、映像出力装置からコンテンツデータを取得し、表示する映像表示装置であって、
前記映像出力装置から、少なくとも符号化方式についての情報を含む、コンテンツデータの情報を取得する第１の取得手段と、
前記第１の取得手段が取得した前記コンテンツデータの情報に含まれる前記符号化方式についての情報に基づいて、前記映像表示装置が前記コンテンツデータを復号化可能であるか否かを判定する第１の判定手段と、
前記第１の判定手段により、前記映像表示装置が前記コンテンツデータを復号化可能であると判定された場合に、前記第１の取得手段が取得した前記コンテンツデータの情報に基づいて、前記コンテンツデータのフォーマット変換が前記映像表示装置で必要であるか否かを判定する第２の判定手段と、
前記第１の判定手段により、前記映像表示装置が前記コンテンツデータを復号化可能でないと判定された場合には、前記映像出力装置で前記コンテンツデータを復号化してからストリーム転送する転送プロトコルを前記複数の転送プロトコルの中から決定し、前記第２の判定手段により、前記コンテンツデータのフォーマット変換が前記映像表示装置で必要であると判定された場合には、前記映像出力装置で前記コンテンツデータを復号化せずにファイル転送する転送プロトコルを前記複数の転送プロトコルの中から決定する決定手段と、
前記決定手段が決定した転送プロトコルを指定して、前記コンテンツデータの転送を前記映像出力装置に要求する要求手段と、
前記要求に応じて前記映像出力装置から転送された前記コンテンツデータを前記映像表示装置で表示する表示制御手段であって、前記コンテンツデータが前記ストリーム転送する転送プロトコルで転送された場合には前記コンテンツデータを復号化せずに表示し、前記コンテンツデータが前記ファイル転送する転送プロトコルで転送された場合には前記コンテンツデータを復号化して表示する表示制御手段とを有することを特徴とする映像表示装置。
【請求項５】
蓄積装置に蓄積したコンテンツデータを、複数の転送プロトコルのうちの１つを用いて映像表示装置に出力する映像出力装置であって、
前記映像表示装置から、前記映像表示装置が蓄積しているコンテンツデータについて、少なくとも符号化方式についての情報を取得する第１の取得手段と、
前記第１の取得手段が取得した前記符号化方式についての情報に基づいて、前記映像表示装置で復号化可能な符号化方式を判定する第１の判定手段と、
前記映像出力装置に表示するＧＵＩを生成するＧＵＩ生成手段と、
前記映像表示装置におけるＧＵＩ描画性能を前記映像表示装置から取得する第２の取得手段と、
前記蓄積装置に蓄積したコンテンツデータの符号化方式が、前記第１の判定手段により前記映像表示装置で復号化可能な符号化方式と判定された符号化形式である場合に、前記第２の取得手段が取得した前記映像表示装置におけるＧＵＩ描画性能と、前記ＧＵＩ生成手段のＧＵＩ描画性能とを比較する比較手段と、
前記蓄積装置に蓄積したコンテンツデータの符号化方式が、前記第１の判定手段により前記映像表示装置で復号化可能な符号化方式と判定された符号化形式でない場合には、前記蓄積装置に蓄積したコンテンツデータを前記映像出力装置で復号化してからストリーム転送する転送プロトコルを前記複数の転送プロトコルの中から決定し、前記比較手段により、前記映像表示装置におけるＧＵＩ描画性能よりも前記ＧＵＩ生成手段のＧＵＩ描画性能の方が高いと判定された場合には、前記蓄積装置に蓄積したコンテンツデータを前記映像出力装置で復号化してからストリーム転送する転送プロトコルを前記複数の転送プロトコルの中から決定する決定手段と、
前記決定手段が決定した転送プロトコルを、前記映像表示装置に通知する通知手段と、
前記映像表示装置からの要求に応じて、前記蓄積装置に蓄積したコンテンツデータを、前記決定手段が決定した転送プロトコルを用いて前記映像表示装置に出力する出力手段とを有することを特徴とする映像出力装置。
【請求項６】
前記比較手段により、前記ＧＵＩ生成手段の描画性能よりも前記映像表示装置におけるＧＵＩ描画性能の方が高いと判定された場合、前記決定手段が、前記蓄積装置に蓄積したコンテンツデータを前記映像出力装置で復号化せずにファイル転送する転送プロトコルを前記複数の転送プロトコルの中から決定することを特徴とする請求項５記載の映像出力装置。
【請求項７】
前記ＧＵＩ描画性能は、ＧＵＩプレーンのサイズ、ＧＵＩ階調数、ＧＵＩビット深度の少なくともいずれか１つであることを特徴とする請求項５または請求項６に記載の映像出力装置。
【請求項８】
蓄積装置に蓄積したコンテンツデータを、複数の転送プロトコルのうちの１つを用いて映像表示装置に出力する映像出力装置であって、
前記映像表示装置から、前記映像表示装置が蓄積しているコンテンツデータについて、少なくとも符号化方式についての情報を取得する第１の取得手段と、
前記第１の取得手段が取得した前記符号化方式についての情報に基づいて、前記映像表示装置で復号化可能な符号化方式を判定する第１の判定手段と、
前記蓄積装置に蓄積したコンテンツデータの符号化方式が、前記第１の判定手段により前記映像表示装置で復号化可能な符号化方式と判定された符号化形式である場合に、前記第１の取得手段が取得した前記コンテンツデータの情報に基づいて、前記コンテンツデータのフォーマット変換が前記映像表示装置で必要であるか否かを判定する第２の判定手段と、
前記蓄積装置に蓄積したコンテンツデータの符号化方式が、前記第１の判定手段により前記映像表示装置で復号化可能な符号化方式でない場合には、前記蓄積装置に蓄積したコンテンツデータを前記映像出力装置で復号化してからストリーム転送する転送プロトコルを前記複数の転送プロトコルの中から決定し、前記第２の判定手段により、前記コンテンツデータのフォーマット変換が前記映像表示装置で必要であると判定された場合には、前記蓄積装置に蓄積したコンテンツデータを前記映像出力装置で復号化せずにファイル転送する転送プロトコルを前記複数の転送プロトコルの中から決定する決定手段と、
前記決定手段が決定した転送プロトコルを、前記映像表示装置に通知する通知手段と、
前記映像表示装置からの要求に応じて、前記蓄積装置に蓄積したコンテンツデータを、前記決定手段が決定した転送プロトコルを用いて前記映像表示装置に出力する出力手段とを有することを特徴とする映像出力装置。
【請求項９】
複数の転送プロトコルのうちの１つを用いて、映像出力装置からコンテンツデータを取得し、表示する映像表示装置の制御方法であって、
第１の取得手段が、前記映像出力装置から、少なくとも符号化方式についての情報を含む、コンテンツデータの情報を取得する第１の取得ステップと、
第１の判定手段が、前記第１の取得ステップにおいて取得された前記コンテンツデータの情報に含まれる前記符号化方式についての情報に基づいて、前記映像表示装置が前記コンテンツデータを復号化可能であるか否かを判定する第１の判定ステップと、
第２の取得手段が、前記映像出力装置におけるＧＵＩ描画性能を前記映像出力装置から取得する第２の取得ステップと、
前記第１の判定ステップにおいて、前記映像表示装置が前記コンテンツデータを復号化可能であると判定された場合に、比較手段が、前記第２の取得ステップにおいて取得された前記映像出力装置におけるＧＵＩ描画性能と、前記映像表示装置が有するＧＵＩ生成手段のＧＵＩ描画性能とを比較する比較ステップと、
決定手段が、
前記第１の判定ステップにおいて、前記映像表示装置が前記コンテンツデータを復号化可能でないと判定された場合には、前記映像出力装置で前記コンテンツデータを復号化してからストリーム転送する転送プロトコルを前記複数の転送プロトコルの中から決定し、
前記比較ステップにおいて、前記映像出力装置におけるＧＵＩ描画性能の方が前記ＧＵＩ生成手段のＧＵＩ描画性能より高いと判定された場合には、前記映像出力装置で前記コンテンツデータを復号化してからストリーム転送する転送プロトコルを前記複数の転送プロトコルの中から決定する決定ステップと、
要求手段が、前記決定ステップにおいて決定された転送プロトコルを指定して、前記コンテンツデータの転送を前記映像出力装置に要求する要求ステップと、
表示制御手段が、前記要求に応じて前記映像出力装置から転送された前記コンテンツデータを前記映像表示装置で表示する表示制御ステップであって、前記コンテンツデータが前記ストリーム転送する転送プロトコルで転送された場合には前記コンテンツデータを復号化せずに表示し、前記コンテンツデータがファイル転送する転送プロトコルで転送された場合には前記コンテンツデータを復号化して表示する表示制御ステップとを有することを特徴とする映像表示装置の制御方法。
【請求項１０】
前記比較ステップにおいて、前記ＧＵＩ生成手段のＧＵＩ描画性能の方が前記映像出力装置におけるＧＵＩ描画性能より高いと判定された場合、前記決定ステップにおいて前記決定手段は、前記映像出力装置で前記コンテンツデータを復号化せずにファイル転送する転送プロトコルを前記複数の転送プロトコルの中から決定することを特徴とする請求項９記載の映像表示装置の制御方法。
【請求項１１】
前記ＧＵＩ描画性能は、ＧＵＩプレーンのサイズ、ＧＵＩ階調数、ＧＵＩビット深度の少なくともいずれか１つであることを特徴とする請求項９または請求項１０に記載の映像表示装置の制御方法。
【請求項１２】
複数の転送プロトコルのうちの１つを用いて、映像出力装置からコンテンツデータを取得し、表示する映像表示装置の制御方法であって、
第１の取得手段が、前記映像出力装置から、少なくとも符号化方式についての情報を含む、コンテンツデータの情報を取得する第１の取得ステップと、
第１の判定手段が、前記第１の取得ステップにおいて取得された前記コンテンツデータの情報に含まれる前記符号化方式についての情報に基づいて、前記映像表示装置が前記コンテンツデータを復号化可能であるか否かを判定する第１の判定ステップと、
前記第１の判定ステップにおいて、前記コンテンツデータを前記映像表示装置で復号化可能であると判定された場合に、第２の判定手段が、前記第１の取得ステップにおいて取得された前記コンテンツデータの情報に基づいて、前記コンテンツデータのフォーマット変換が前記映像表示装置で必要であるか否かを判定する第２の判定ステップと、
決定手段が、
前記第１の判定ステップにおいて、前記映像表示装置が前記コンテンツデータを復号化可能でないと判定された場合には、前記映像出力装置で前記コンテンツデータを復号化してからストリーム転送する転送プロトコルを前記複数の転送プロトコルの中から決定し、
前記第２の判定ステップにおいて、前記コンテンツデータのフォーマット変換が前記映像表示装置で必要であると判定された場合には、前記映像出力装置で前記コンテンツデータを復号化せずにファイル転送する転送プロトコルを前記複数の転送プロトコルの中から決定する決定ステップと、
要求手段が、前記決定ステップにおいて決定された転送プロトコルを指定して、前記コンテンツデータの転送を前記映像出力装置に要求する要求ステップと、
表示制御手段が、前記要求に応じて前記映像出力装置から転送された前記コンテンツデータを前記映像表示装置で表示する表示制御ステップであって、前記コンテンツデータが前記ストリーム転送する転送プロトコルで転送された場合には前記コンテンツデータを復号化せずに表示し、前記コンテンツデータが前記ファイル転送する転送プロトコルで転送された場合には前記コンテンツデータを復号化して表示する表示制御ステップとを有することを特徴とする映像表示装置の制御方法。
【請求項１３】
蓄積装置に蓄積したコンテンツデータを、複数の転送プロトコルのうちの１つを用いて映像表示装置に出力する映像出力装置の制御方法であって、
第１の取得手段が、前記映像表示装置から、前記映像表示装置が蓄積しているコンテンツデータについて、少なくとも符号化方式についての情報を取得する第１の取得ステップと、
第１の判定手段が、前記第１の取得ステップにおいて取得された前記符号化方式についての情報に基づいて、前記映像表示装置で復号化可能な符号化方式を判定する第１の判定ステップと、
第２の取得手段が、前記映像表示装置におけるＧＵＩ描画性能を前記映像表示装置から取得する第２の取得ステップと、
前記蓄積装置に蓄積したコンテンツデータの符号化方式が、前記第１の判定ステップにおいて前記映像表示装置で復号化可能な符号化方式と判定された符号化形式である場合に、比較手段が、前記第２の取得ステップにおいて取得された前記映像表示装置におけるＧＵＩ描画性能と、前記映像出力装置が有するＧＵＩ生成手段のＧＵＩ生成手段のＧＵＩ描画性能とを比較する比較ステップと、
決定手段が、
前記蓄積装置に蓄積したコンテンツデータの符号化方式が、前記第１の判定ステップにおいて前記映像表示装置で復号化可能な符号化方式と判定された符号化形式でない場合に、前記蓄積装置に蓄積したコンテンツデータを前記映像出力装置で復号化してからストリーム転送する転送プロトコルを前記複数の転送プロトコルの中から決定し、
前記比較ステップにおいて、前記映像表示装置におけるＧＵＩ描画性能よりも前記ＧＵＩ生成手段の描画性能の方が高いと判定された場合には、前記蓄積装置に蓄積したコンテンツデータを前記映像出力装置で復号化してからストリーム転送する転送プロトコルを前記複数の転送プロトコルの中から決定する決定ステップと、
通知手段が、前記決定ステップにおいて決定された転送プロトコルを、前記映像表示装置に通知する通知ステップと、
出力手段が、前記映像表示装置からの要求に応じて、前記蓄積装置に蓄積したコンテンツデータを、前記決定ステップにおいて決定された転送プロトコルを用いて前記映像表示装置に出力する出力ステップとを有することを特徴とする映像出力装置の制御方法。
【請求項１４】
前記比較ステップにおいて、前記ＧＵＩ生成手段の描画性能よりも前記映像出力装置におけるＧＵＩ描画性能の方が高いと判定された場合、前記決定ステップにおいて前記決定手段は、前記蓄積装置に蓄積したコンテンツデータを前記映像出力装置で復号化せずにファイル転送する転送プロトコルを前記複数の転送プロトコルの中から決定することを特徴とする請求項１３記載の映像出力装置の制御方法。
【請求項１５】
前記ＧＵＩ描画性能は、ＧＵＩプレーンのサイズ、ＧＵＩ階調数、ＧＵＩビット深度の少なくともいずれか１つであることを特徴とする請求項１３または請求項１４に記載の映像出力装置の制御方法。
【請求項１６】
蓄積装置に蓄積したコンテンツデータを、複数の転送プロトコルのうちの１つを用いて映像表示装置に出力する映像出力装置の制御方法であって、
第１の取得手段が、前記映像表示装置から、前記映像表示装置が蓄積しているコンテンツデータについて、少なくとも符号化方式についての情報を取得する第１の取得ステップと、
第１の判定手段が、前記第１の取得ステップで取得された前記符号化方式についての情報に基づいて、前記映像表示装置で復号化可能な符号化方式を判定する第１の判定ステップと、
前記蓄積装置に蓄積したコンテンツデータの符号化方式が、前記第１の判定ステップにおいて前記映像表示装置で復号化可能な符号化方式と判定された符号化形式である場合に、第２の判定手段が、前記第１の取得ステップにおいて取得された前記コンテンツデータの情報に基づいて、前記コンテンツデータのフォーマット変換が前記映像表示装置で必要であるか否かを判定する第２の判定ステップと、
決定手段が、
前記蓄積装置に蓄積したコンテンツデータの符号化方式が、前記第１の判定ステップにおいて前記映像表示装置で復号化可能な符号化方式と判定された符号化形式でない場合には、前記蓄積装置に蓄積したコンテンツデータを前記映像出力装置で復号化してからストリーム転送する転送プロトコルを前記複数の転送プロトコルの中から決定し、
前記第２の判定ステップにおいて、前記コンテンツデータのフォーマット変換が前記映像表示装置で必要であると判定された場合には、前記蓄積装置に蓄積したコンテンツデータを前記映像出力装置で復号化せずにファイル転送する転送プロトコルを前記複数の転送プロトコルの中から決定する決定ステップと、
通知手段が、前記決定ステップにおいて決定された転送プロトコルを、前記映像表示装置に通知する通知ステップと、
出力手段が、前記映像表示装置からの要求に応じて、前記蓄積装置に蓄積したコンテンツデータを、前記決定ステップにおいて決定された転送プロトコルを用いて前記映像表示装置に出力する出力ステップとを有することを特徴とする映像出力装置の制御方法。
【手続補正２】
【補正対象書類名】明細書
【補正対象項目名】００１０
【補正方法】変更
【補正の内容】
【００１０】
すなわち、上述の目的は、複数の転送プロトコルのうちの１つを用いて、映像出力装置からコンテンツデータを取得し、表示する映像表示装置であって、映像出力装置から、少なくとも符号化方式についての情報を含む、コンテンツデータの情報を取得する第１の取得手段と、第１の取得手段が取得したコンテンツデータの情報に含まれる符号化方式についての情報に基づいて、映像表示装置がコンテンツデータを復号化可能であるか否かを判定する第１の判定手段と、映像表示装置に表示するＧＵＩを生成するＧＵＩ生成手段と、映像出力装置におけるＧＵＩ描画性能を映像出力装置から取得する第２の取得手段と、第１の判定手段により、映像表示装置がコンテンツデータを復号化可能であると判定された場合に、第２の取得手段が取得した映像出力装置におけるＧＵＩ描画性能と、ＧＵＩ生成手段のＧＵＩ描画性能とを比較する比較手段と、第１の判定手段により、映像表示装置がコンテンツデータを復号化可能でないと判定された場合には、映像出力装置でコンテンツデータを復号化してからストリーム転送する転送プロトコルを複数の転送プロトコルの中から決定し、比較手段により、映像出力装置におけるＧＵＩ描画性能の方がＧＵＩ生成手段のＧＵＩ描画性能より高いと判定された場合には、映像出力装置でコンテンツデータを復号化してからストリーム転送する転送プロトコルを複数の転送プロトコルの中から決定する決定手段と、決定手段が決定した転送プロトコルを指定して、コンテンツデータの転送を映像出力装置に要求する要求手段と、要求に応じて映像出力装置から転送されたコンテンツデータを映像表示装置で表示する表示制御手段であって、コンテンツデータがストリーム転送する転送プロトコルで転送された場合にはコンテンツデータを復号化せずに表示し、コンテンツデータがファイル転送する転送プロトコルで転送された場合にはコンテンツデータを復号化して表示する表示制御手段とを有することを特徴とする映像表示装置によって達成される。
【手続補正３】
【補正対象書類名】明細書
【補正対象項目名】００１１
【補正方法】変更
【補正の内容】
【００１１】
また、上述の目的は、蓄積装置に蓄積したコンテンツデータを、複数の転送プロトコルのうちの１つを用いて映像表示装置に出力する映像出力装置であって、映像表示装置から、映像表示装置が蓄積しているコンテンツデータについて、少なくとも符号化方式についての情報を取得する第１の取得手段と、第１の取得手段が取得した符号化方式についての情報に基づいて、映像表示装置で復号化可能な符号化方式を判定する第１の判定手段と、映像出力装置に表示するＧＵＩを生成するＧＵＩ生成手段と、映像表示装置におけるＧＵＩ描画性能を映像表示装置から取得する第２の取得手段と、蓄積装置に蓄積したコンテンツデータの符号化方式が、第１の判定手段により映像表示装置で復号化可能な符号化方式と判定された符号化形式である場合に、第２の取得手段が取得した映像表示装置におけるＧＵＩ描画性能と、ＧＵＩ生成手段のＧＵＩ描画性能とを比較する比較手段と、蓄積装置に蓄積したコンテンツデータの符号化方式が、第１の判定手段により映像表示装置で復号化可能な符号化方式と判定された符号化形式でない場合には、蓄積装置に蓄積したコンテンツデータを映像出力装置で復号化してからストリーム転送する転送プロトコルを複数の転送プロトコルの中から決定し、比較手段により、映像表示装置におけるＧＵＩ描画性能よりもＧＵＩ生成手段のＧＵＩ描画性能の方が高いと判定された場合には、蓄積装置に蓄積したコンテンツデータを映像出力装置で復号化してからストリーム転送する転送プロトコルを複数の転送プロトコルの中から決定する決定手段と、決定手段が決定した転送プロトコルを、映像表示装置に通知する通知手段と、映像表示装置からの要求に応じて、蓄積装置に蓄積したコンテンツデータを、決定手段が決定した転送プロトコルを用いて映像表示装置に出力する出力手段とを有することを特徴とする映像出力装置によっても達成される。
【手続補正４】
【補正対象書類名】明細書
【補正対象項目名】００１２
【補正方法】変更
【補正の内容】
【００１２】
また、上述の目的は、複数の転送プロトコルのうちの１つを用いて、映像出力装置からコンテンツデータを取得し、表示する映像表示装置の制御方法であって、第１の取得手段が、映像出力装置から、少なくとも符号化方式についての情報を含む、コンテンツデータの情報を取得する第１の取得ステップと、第１の判定手段が、第１の取得ステップにおいて取得されたコンテンツデータの情報に含まれる符号化方式についての情報に基づいて、映像表示装置がコンテンツデータを復号化可能であるか否かを判定する第１の判定ステップと、第２の取得手段が、映像出力装置におけるＧＵＩ描画性能を映像出力装置から取得する第２の取得ステップと、第１の判定ステップにおいて、映像表示装置がコンテンツデータを復号化可能であると判定された場合に、比較手段が、第２の取得ステップにおいて取得された映像出力装置におけるＧＵＩ描画性能と、映像表示装置が有するＧＵＩ生成手段のＧＵＩ描画性能とを比較する比較ステップと、決定手段が、第１の判定ステップにおいて、映像表示装置がコンテンツデータを復号化可能でないと判定された場合には、映像出力装置でコンテンツデータを復号化してからストリーム転送する転送プロトコルを複数の転送プロトコルの中から決定し、比較ステップにおいて、映像出力装置におけるＧＵＩ描画性能の方がＧＵＩ生成手段のＧＵＩ描画性能より高いと判定された場合には、映像出力装置でコンテンツデータを復号化してからストリーム転送する転送プロトコルを複数の転送プロトコルの中から決定する決定ステップと、要求手段が、決定ステップにおいて決定された転送プロトコルを指定して、コンテンツデータの転送を映像出力装置に要求する要求ステップと、表示制御手段が、要求に応じて映像出力装置から転送されたコンテンツデータを映像表示装置で表示する表示制御ステップであって、コンテンツデータがストリーム転送する転送プロトコルで転送された場合にはコンテンツデータを復号化せずに表示し、コンテンツデータがファイル転送する転送プロトコルで転送された場合にはコンテンツデータを復号化して表示する表示制御ステップとを有することを特徴とする映像表示装置の制御方法によっても達成される。
【手続補正５】
【補正対象書類名】明細書
【補正対象項目名】００１３
【補正方法】変更
【補正の内容】
【００１３】
また、上述の目的は、蓄積装置に蓄積したコンテンツデータを、複数の転送プロトコルのうちの１つを用いて映像表示装置に出力する映像出力装置の制御方法であって、第１の取得手段が、映像表示装置から、映像表示装置が蓄積しているコンテンツデータについて、少なくとも符号化方式についての情報を取得する第１の取得ステップと、第１の判定手段が、第１の取得ステップにおいて取得された符号化方式についての情報に基づいて、映像表示装置で復号化可能な符号化方式を判定する第１の判定ステップと、第２の取得手段が、映像表示装置におけるＧＵＩ描画性能を映像表示装置から取得する第２の取得ステップと、蓄積装置に蓄積したコンテンツデータの符号化方式が、第１の判定ステップにおいて映像表示装置で復号化可能な符号化方式と判定された符号化形式である場合に、比較手段が、第２の取得ステップにおいて取得された映像表示装置におけるＧＵＩ描画性能と、映像出力装置が有するＧＵＩ生成手段のＧＵＩ生成手段のＧＵＩ描画性能とを比較する比較ステップと、決定手段が、蓄積装置に蓄積したコンテンツデータの符号化方式が、第１の判定ステップにおいて映像表示装置で復号化可能な符号化方式と判定された符号化形式でない場合に、蓄積装置に蓄積したコンテンツデータを映像出力装置で復号化してからストリーム転送する転送プロトコルを複数の転送プロトコルの中から決定し、比較手段により、映像表示装置におけるＧＵＩ描画性能よりもＧＵＩ生成手段の描画性能の方が高いと判定された場合には、蓄積装置に蓄積したコンテンツデータを映像出力装置で復号化してからストリーム転送する転送プロトコルを複数の転送プロトコルの中から決定する決定ステップと、通知手段が、決定ステップにおいて決定された転送プロトコルを、映像表示装置に通知する通知ステップと、出力手段が、映像表示装置からの要求に応じて、蓄積装置に蓄積したコンテンツデータを、決定ステップにおいて決定された転送プロトコルを用いて映像表示装置に出力する出力ステップとを有することを特徴とする映像出力装置の制御方法によっても達成される。